【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
身体側表面を形成する透液性トップシートと、外面側に位置する液不透過性シートとの間に吸収体が介在され、前記吸収体が幅方向中央に沿って下腹部から股間部を通り臀部まで延在され、背側の両側部にそれぞれ取り付けられたファスニング片を用いて背側と腹側とを係止することにより装着するように構成された、止着式使い捨ておむつにおいて、
前記吸収体における背側端縁から股間側に離間した位置であって、かつ左右のファスニング片の取り付け部分間の領域の股間側近傍に、幅方向に沿う線状の吸収体薄肉部分又は吸収体不連続部分が、幅方向一端から他端まで連続的又は間欠的に形成されており、
前記吸収体のうち、前記吸収体薄肉部分又は吸収体不連続部分よりおむつの背側端縁側に位置する背側端縁側部分は、その背側端縁側に左右のファスニング片の取り付け部分間に位置する部分を有している、
ことを特徴とする止着式使い捨ておむつ。
【請求項２】
前記吸収体のうち、前記吸収体薄肉部分又は吸収体不連続部分よりおむつの背側端縁側に位置する背側端縁側部分の５０％以上が、左右のファスニング片の取り付け部分間に位置している、請求項１記載の止着式使い捨ておむつ。
【請求項３】
前記吸収体薄肉部分又は吸収体不連続部分は、吸収体の幅方向両側に幅方向中央側の部分よりも線幅の広い部分を有する、請求項１又は２記載の止着式使い捨ておむつ。
【請求項４】
前記吸収体薄肉部分又は吸収体不連続部分の股間側端縁が、幅方向両側に向かうにつれて股間側に位置する曲線をなしている、請求項１〜３のいずれか１項に記載の止着式使い捨ておむつ。
【請求項５】
前記吸収体が配置される部分の前記使い捨ておむつの曲げ剛性が１５〜５０ｃＮ／５０ｍｍであり、前記吸収体薄肉部分又は吸収体不連続部分の前記使い捨ておむつの曲げ剛性が１〜２０ｃＮ／５０ｍｍである、請求項１〜４のいずれか１項に記載の止着式使い捨ておむつ。
【請求項６】
おむつの両側部に、使用面側に起立する側部バリヤーカフスがそれぞれ前後方向に沿って設けられており、
各側部バリヤーカフスは、幅方向外側の部分がおむつの側部に固着された固着部分とされ、幅方向内側の部分のうち前後方向両端部がおむつに固定された固定部とされ、且つこれら固定部間の前後方向範囲が自由部分とされるとともに、この自由部分に弾性伸縮部材が前後方向に沿って伸張した状態で固定されており、
前記吸収体薄肉部分又は吸収体不連続部分は、前後方向において前記側部バリヤーカフスの後端部の固定部と同じか又はそれよりも股間側に位置している、
請求項１〜５のいずれか１項に記載の止着式使い捨ておむつ。
【請求項７】
前記弾性伸縮部材は、少なくとも前記使い捨ておむつの後端縁から前記吸収体薄肉部分又は吸収体不連続部分にかけての範囲では、前記側部バリヤーカフスに対し前後方向に沿って伸張した状態で固定されていない、請求項６に記載の止着式使い捨ておむつ。
【請求項８】
前記弾性伸縮部材は、少なくとも前記使い捨ておむつの後端縁から前記吸収体薄肉部分又は吸収体不連続部分にかけての範囲における伸張率が、それ以外の範囲における伸張率よりも低くされている、請求項６に記載の止着式使い捨ておむつ。
【請求項９】
おむつの背側部における両ファスニング片の間に、幅方向に弾性伸縮する帯状の背側伸縮シートが設けられており、前記吸収体のうち、前記吸収体薄肉部分又は吸収体不連続部分よりおむつの背側端縁側に位置する背側端縁側部分の５０％以上が、前記背側伸縮シートと重なるようになされている、請求項１〜８のいずれか１項に記載の止着式使い捨ておむつ。
【請求項１０】
前記吸収体はおむつの前後方向中央から背側に１００〜２５０ｍｍ延在しており、前記吸収体の背側端縁とおむつの背側端縁との上下方向離間距離は１０〜４０ｍｍであり、前記吸収体薄肉部分又は吸収体不連続部分は、前記吸収体における背側端縁から股間側に１０〜６０ｍｍ離間した位置に形成されている、請求項１〜９のいずれか１項に記載の止着式使い捨ておむつ。
【手続補正２】
【補正対象書類名】明細書
【補正対象項目名】全文
【補正方法】変更
【補正の内容】
【発明の詳細な説明】
【発明の名称】止着式使い捨ておむつ
【技術分野】
【０００１】
本発明は、背漏れ防止を図った止着式使い捨ておむつに関するものである。
【背景技術】
【０００２】
止着式使い捨ておむつは、特に乳児や介護用として汎用されているものである。止着式使い捨ておむつの多くは、身体側表面を形成する透液性トップシートと、外面側に位置する液不透過性シートとの間に吸収体が介在されてなり、吸収体が幅方向中央に沿って下腹部から股間部を通り臀部まで延在され、背側の両側部にそれぞれ取り付けられたファスニング片を用いて背側と腹側とを係止することにより装着を行うものである（例えば特許文献１〜４参照）。
【特許文献１】特開２００１−２４５９２２号公報
【特許文献２】特開平９−２１５７０９号公報
【特許文献３】特許３６０２１３４号公報
【特許文献４】特許３６０５４２６号公報
【発明の開示】
【発明が解決しようとする課題】
【０００３】
しかしながら、止着式使い捨ておむつは、所謂パンツ型と比較すると、身体とおむつの背側との間に隙間が生じやすく、この隙間を介して尿、水様便、軟便等の排泄物が漏れ出る事態（所謂背漏れ）が発生し易いという問題点があった。
この問題点を解決するために、背側における製品幅方向の伸縮性を改善するものや、背側内面に幅方向に沿う背側バリヤー帯を設けることが提案されているが、装着時の締め付けが不十分であったり、締め付けが緩んだりしたときに背漏れが発生し易く、更なる改善が必要である。特に、後者は製造が困難で、コストも嵩むため好ましくない。
そこで、本発明の主たる課題は、装着時の締め付けが不十分であったり、締め付けが緩んだりしたときであっても効果的に背漏れを防止できる、使い捨ておむつを提供することにある。
【課題を解決するための手段】
【０００４】
本発明者は背漏れの原因について鋭意研究した結果、次のような知見を得た。すなわち、部材の中でも剛性の高い吸収体が背側端部近傍まで一体的に連続していると、吸収体に加わる力が背側端縁まで伝わる。その結果、装着時の締め付けが不十分であったり、締め付けが緩んだりすると、おむつ内面と腰との間に隙間が発生し、背漏れが発生し易くなっていたのである。本発明はこのような知見に基づいてなされたものであって、次記のとおりのものである。
【０００５】
＜請求項１記載の発明＞
身体側表面を形成する透液性トップシートと、外面側に位置する液不透過性シートとの間に吸収体が介在され、前記吸収体が幅方向中央に沿って下腹部から股間部を通り臀部まで延在され、背側の両側部にそれぞれ取り付けられたファスニング片を用いて背側と腹側とを係止することにより装着するように構成された、止着式使い捨ておむつにおいて、
前記吸収体における背側端縁から股間側に離間した位置であって、かつ左右のファスニング片の取り付け部分間の領域の股間側近傍に、幅方向に沿う線状の吸収体薄肉部分又は吸収体不連続部分が、幅方向一端から他端まで連続的又は間欠的に形成されており、
前記吸収体のうち、前記吸収体薄肉部分又は吸収体不連続部分よりおむつの背側端縁側に位置する背側端縁側部分は、その背側端縁側に左右のファスニング片の取り付け部分間に位置する部分を有している、
ことを特徴とする止着式使い捨ておむつ。
【０００６】
（作用効果）
このような吸収体薄肉部分又は吸収体不連続部分を有すると、吸収体がこの部分を折り目として折れ曲がり易くなり、緩衝部として作用するため、この部分よりも股間側で吸収体に加わる力が背側端縁側に全く伝わらないか又は伝わり難くなる。その結果、装着時の締め付けが不十分であったり、締め付けが緩んだりしたときであっても、おむつの背側端部に腰から離れる方向の力が全く作用しないか又は弱くなり、おむつ内面と腰との間に隙間が発生し難くなる。さらに、吸収体薄肉部分又は吸収体不連続部分は、吸収体の股間側から背側端縁側に流れる尿や軟便を止める障壁として、またこれらが吸収されるまでに一時的に貯留する保持空間としても機能する。よって、効果的に背漏れが防止される。
【０００７】
＜請求項２記載の発明＞
前記吸収体のうち、前記吸収体薄肉部分又は吸収体不連続部分よりおむつの背側端縁側に位置する背側端縁側部分の５０％以上が、左右のファスニング片の取り付け部分間に位置している、請求項１記載の止着式使い捨ておむつ。
【０００８】
【０００９】
＜請求項３記載の発明＞
前記吸収体薄肉部分又は吸収体不連続部分は、吸収体の幅方向両側部に幅方向中央側の部分よりも線幅の広い部分を有する、請求項１又は２記載の止着式使い捨ておむつ。
【００１０】
（作用効果）
おむつの背側は臀部の膨らみに沿って膨らむため、吸収体は背側端部の幅方向両側ほど、おむつの背側端部を腰から離す力を強く発揮する。これに対して、本項記載のように構成すると、吸収体薄肉部分又は吸収体不連続部分における幅方向両側部の剛性がより低くなり、力を伝達し難くなるため、おむつの背側端部の幅方向全体をバランス良く腰から離れ難くすることができる。また、吸収体が臀部から腰部にわたり幅方向における身体表面起伏に追従して変形し、フィットするようになるという利点もある。
【００１１】
【００１２】
【００１３】
＜請求項４記載の発明＞
前記吸収体薄肉部分又は吸収体不連続部分の股間側端縁が、幅方向両側に向かうにつれて股間側に位置する曲線をなしている、請求項１〜３のいずれか１項に記載の止着式使い捨ておむつ。
【００１４】
（作用効果）
本項記載のように構成されていると、請求項３記載の発明と同様の作用効果が発揮され、特に臀部の膨らみの上側部分に対してより優れたフィット性が発揮されるため好ましい。
【００１５】
＜請求項５記載の発明＞
前記吸収体が配置される部分の前記使い捨ておむつの曲げ剛性が１５〜５０ｃＮ／５０ｍｍであり、前記吸収体薄肉部分又は吸収体不連続部分の前記使い捨ておむつの曲げ剛性が１〜２０ｃＮ／５０ｍｍである、請求項１〜４のいずれか１項に記載の止着式使い捨ておむつ。
【００１６】
（作用効果）
本発明と類似の作用は、単に吸収体全体の剛性を低くすることによっても発揮されるが、その場合、吸収性能の低下や、吸収体のヨレや割れが発生するおそれがある。よって、これを防止するために、吸収体としては、本項記載の程度の剛性を確保した上で前述の吸収体薄肉部分又は吸収体不連続部分を形成するのが好ましい。
【００１７】
＜請求項６記載の発明＞
おむつの両側部に、使用面側に起立する側部バリヤーカフスがそれぞれ前後方向に沿って設けられており、
各側部バリヤーカフスは、幅方向外側の部分がおむつの側部に固着された固着部分とされ、幅方向内側の部分のうち前後方向両端部がおむつに固定された固定部とされ、且つこれら固定部間の前後方向範囲が自由部分とされるとともに、この自由部分に弾性伸縮部材が前後方向に沿って伸張した状態で固定されており、
前記吸収体薄肉部分又は吸収体不連続部分は、前後方向において前記側部バリヤーカフスの後端部の固定部と同じか又はそれよりも股間側に位置している、
請求項１〜５のいずれか１項に記載の止着式使い捨ておむつ。
【００１８】
（作用効果）
現在の一般的な使い捨ておむつにおいては、横漏れを防止するために本項記載のような側部バリヤーカフスが設けられている。このような側部バリヤーカフスを有している場合、本発明の吸収体薄肉部分又は吸収体不連続部分が、前後方向において側部バリヤーカフスの後端部の固定部と同じか又はそれよりも股間側に位置していると、側部バリヤーカフスに設けられた弾性伸縮部材の収縮力により、おむつにおける吸収体薄肉部分又は吸収体不連続部分よりも背側端縁側の部分が弾力的に腰に押し付けられるようになる。また、吸収体薄肉部分又は吸収体不連続部分により形成される障壁及び空間と、側部バリヤーカフスの固定部により形成される障壁及びその股間側に形成される空間とが一体となり、尿や便を確実に止める障壁と広い保持空間を形成する。よって、本発明の背漏れ防止効果がより一層のものとなる。
【００１９】
＜請求項７記載の発明＞
前記弾性伸縮部材は、少なくとも前記使い捨ておむつの後端縁から前記吸収体薄肉部分又は吸収体不連続部分にかけての範囲では、前記側部バリヤーカフスに対し前後方向に沿って伸張した状態で固定されていない、請求項６に記載の止着式使い捨ておむつ。
【００２０】
（作用効果）
本項記載のように構成されていると、吸収体が側部バリヤーカフスの弾性伸縮部材の収縮力により引っ張られ、吸収体薄肉部分又は吸収体不連続部分により形成される保持空間が小さくなることがない。
【００２１】
＜請求項８記載の発明＞
前記弾性伸縮部材は、少なくとも前記使い捨ておむつの後端縁から前記吸収体薄肉部分又は吸収体不連続部分にかけての範囲における伸張率が、それ以外の範囲における伸張率よりも低くされている、請求項６に記載の止着式使い捨ておむつ。
【００２２】
（作用効果）
本項記載のように構成されていると、吸収体が側部バリヤーカフスの弾性伸縮部材の収縮力により引っ張られ、吸収体薄肉部分又は吸収体不連続部分により形成される保持空間が小さくなることがない。
【００２３】
＜請求項９記載の発明＞
おむつの背側部における両ファスニング片の間に、幅方向に弾性伸縮する帯状の背側伸縮シートが設けられており、前記吸収体のうち、前記吸収体薄肉部分又は吸収体不連続部分よりおむつの背側端縁側に位置する背側端縁側部分の５０％以上が、前記背側伸縮シートと重なるようになされている、請求項１〜８のいずれか１項に記載の止着式使い捨ておむつ。
【００２４】
（作用効果）
本項記載のように構成されていると、吸収体の背側端縁側部分が背側伸縮シートによって着用者の背部に押し付けられ、隙間なくフィットするとともに、吸収体薄肉部分又は吸収体不連続部分が撓んで保持空間が大きく形成される。
【００２５】
＜請求項１０記載の発明＞
前記吸収体はおむつの前後方向中央から背側に１００〜２５０ｍｍ延在しており、前記吸収体の背側端縁とおむつの背側端縁との上下方向離間距離は１０〜４０ｍｍであり、前記吸収体薄肉部分又は吸収体不連続部分は、前記吸収体における背側端縁から股間側に１０〜６０ｍｍ離間した位置に形成されている、請求項１〜９のいずれか１項に記載の止着式使い捨ておむつ。
【００２６】
（作用効果）
本発明を適用するのが特に好ましい、水様便、軟便を頻繁に排泄する新生児〜１２ヶ月程度までの乳幼児用おむつにおいては、吸収体の寸法及び吸収体薄肉部分又は吸収体不連続部分の位置が本項記載の範囲内にあるのが好ましい。これら寸法及び位置により、吸収体薄肉部分又は吸収体不連続部分の位置が股間側に近くなりすぎると、上述した力の伝達抑制効果が乏しくなり、おむつの背側端縁に近くなりすぎると、本発明によって腰から離れ難くなる部分の上下方向幅が狭くなることにより、当該部分と腰との間に隙間が発生し易くなる。
【発明の効果】
【００２７】
以上のとおり、本発明によれば、装着時の締め付けが不十分であったり、締め付けが緩んだりしたときであっても効果的に背漏れを防止できる、等の利点がもたらされる。
【発明を実施するための最良の形態】
【００２８】
以下に、本発明の一実施形態について添付図面を参照しつつ説明する。本発明において、「前後方向」とは腹側（前側）と背側（後側）を結ぶ方向を意味し、「幅方向」とは前後方向と直交する方向（左右方向）を意味し、「上下方向」とはおむつの装着状態、すなわちおむつの前身頃両側部と後身頃量側部を重ね合わせるようにおむつを股間部Ｃで２つに折った際に胴回り方向と直交する方向、換言すればウエスト開口部ＷＯ側と股間部側とを結ぶ方向を意味する。
図１〜図４は本発明に係る止着式使い捨ておむつの一例を示している。図２、図３及び図４は、図１における２−２線断面、３−３線断面、及び４−４線断面をそれぞれ示した図である。この止着式使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収体５６が介在する部分である吸収性本体部１０と、この吸収性本体部１０の前側及び後側にそれぞれ延出する部分であって、且つ吸収体５６を有しない部分である腹側エンドフラップ部ＦＥ及び背側エンドフラップ部ＢＥとを有するものである。
また、この止着式使い捨ておむつは、腹側Ｆの上縁Ｆ１側部分の両側において、それぞれ股間部Ｃよりも幅方向外側まで延在する一対の腹側サイドフラップ部ＦＦ，ＦＦと、背側Ｂの上縁Ｂ１側部分の両側において、それぞれ股間部Ｃよりも幅方向外側まで延在する一対の背側サイドフラップ部ＢＦ，ＢＦとを備えている。また、背側サイドフラップ部ＢＦ，ＢＦには、係止部材としてのファスニング片１３０がそれぞれ設けられている。
より詳細には、吸収性本体部１０ならびに背側および腹側の各サイドフラップ部ＢＦ，ＦＦの外面全体が外装シート１２により形成されている。特に、吸収性本体部１０においては、外装シート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
さらに、この吸収性本体部１０の両側には、装着者の肌側に突出（起立）する側部バリヤーカフス６０，６０が設けられており、この側部バリヤーカフス６０，６０を形成するバリヤーシート６２，６２が、背側および腹側の各サイドフラップ部ＢＦ，ＦＦの内面を含め、吸収性本体部１０の幅方向外側の全体にわたり延在されている。
【００２９】
以下、各部の素材および特徴部分について順に説明する
（外装シート）
外装シート１２は吸収要素５０を身体に対して支持する部分を構成する。外装シート１２は、両側部の前後方向中央部が括れた砂時計形状とされており、ここが着用者の脚を入れる部位となる。
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。
【００３０】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３１】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００３２】
（側部バリヤーカフス）
トップシート３０上を伝わって横方向に移動する尿や軟便を阻止し、横漏れを防止するために、製品の両側に、使用面側に突出（起立）する側部バリヤーカフス６０、６０を設けるのは好ましい。
この側部バリヤーカフス６０は、実質的に幅方向に連続するバリヤーシート６２と、このバリヤーシート６２に前後方向に沿って伸張状態で固定された細長状弾性伸縮部材６３とにより構成されている。このバリヤーシート６２としては撥水性不織布を用いることができ、また弾性伸縮部材６３としては糸ゴム等を用いることができる。弾性伸縮部材は、図１及び図２に示すように各複数本設ける他、各１本設けることができる。弾性伸縮部材６３の伸張率は１５０〜２５０％程度であるのが好ましい。また、弾性伸縮部材６３として細長状（糸状又は紐状等）のものを用いる場合、太さ４２０〜１１２０ｄｔｅｘのものを３〜１５ｍｍの間隔で設けるのが好ましい。また、おむつの前後端部が前後方向に縮むとフィット性が低下したり装着がしづらかったりするため、弾性伸縮部材６３は、バリヤーシート６２に対して、前後端部では非固定とされている。
バリヤーシート６２の内面は、トップシート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。この固着部分のうち固着始端近傍の幅方向外側において、バリヤーシート６２と外装シート１２とが対向する部分のシート間に、前後方向に沿って糸ゴム等からなる脚周り弾性伸縮部材６４がそれぞれ設けられている。
脚周りにおいては、側部バリヤーカフス６０の固着始端より幅方向内側は、製品前後方向両端部６５ではトップシート３０上に固定されているものの、その間の部分は非固定の自由部分であり、この自由部分が糸ゴム６３の収縮力により起立するようになる。おむつの、装着時には、おむつが舟形に体に装着されるので、そして糸ゴム６３の収縮力が作用するので、糸ゴム６３の収縮力により側部バリヤーカフス６０が起立して脚周りに密着する。その結果、脚周りからのいわゆる横漏れが防止される。なお、図１中にはバリヤーシートの固着部分及び前後方向両端部の固定部分６５が斜線で示されている。
図示形態と異なり、バリヤーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。また、バリヤーシート６２は、２層のシート間に透湿性のポリエチレンフィルム等からなる液不透過性シートを内在する構造であってもよい。また、図示形態ではバリヤーシート６２は２層のシートからなるが、弾性伸縮部材６３を設けた部位を除き１層とすることもできる。
【００３３】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００３４】
（吸収体）
吸収体５６は、繊維５２，５２の集合体により形成することができる。この繊維集合体としては、綿状パルプや合成繊維等の短繊維を積繊したものが好適であるが、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
図示形態の吸収体５６は、両側部の前後方向中央部が括れた砂時計形状となっているが、矩形状等、適宜の形状を採用することができる。
【００３５】
（高吸収性ポリマー粒子）
吸収体５６は、図２に示すように高吸収性ポリマー粒子５４，５４…を含むのが好ましく、特に、少なくとも液受け入れ領域において、繊維５２，５２…の集合体に対して高吸収性ポリマー粒子（ＳＡＰ粒子）が実質的に厚み方向全体に分散されているものが望ましい。
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維５２，５２…の集合体中に侵入しないでその表面に残存している形態や、一部のＳＡＰ粒子が繊維５２，５２…の集合体を通り抜けて包装シート５８上にある形態も排除されるものではない。
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
高吸収性ポリマー粒子５４としては、吸水速度が４０秒以下のものが好適に用いられる。吸水速度が４０秒を超えると、吸収体５６内に供給された液が吸収体５６外に戻り出てしまう所謂逆戻りを発生し易くなる。
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子５４の過剰によりジャリジャリした違和感を与えるようになる。
【００３６】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
この包装シート５８は、図２のように、繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００３７】
（ファスニング片）
ファスニング片１３０は、不織布、プラスチックフィルム、ポリラミ不織布、紙やこれらの複合素材からなるファスニング基材１３０Ｃの基部がおむつに取り付けられており、おむつから突出する先端側部分に腹側に対する係止部として、メカニカルファスナーのフック要素１３０Ａが設けられている。フック要素１３０Ａはファスニング基材１３０Ｃに接着剤により剥離不能に接合されている。
本発明を適用するのが特に好ましい、水様便、軟便を頻繁に排泄する新生児〜１２ヶ月程度までの乳幼児用おむつにおいては、ファスニング片１３０の取り付け部分の寸法のうち、おむつの幅方向の長さＸ１は１０〜５０ｍｍ、特に２０〜４０ｍｍであるのが好ましく、前後方向長さＹ１は、２０〜１００ｍｍ、特に４０〜８０ｍｍであるのが好ましい。また、ファスニング片１３０の先端側部分の寸法のうち、おむつの幅方向の長さＸ２は３０〜８０ｍｍ、特に４０〜６０ｍｍであるのが好ましく、前後方向の長さＹ２は２０〜７０ｍｍ、特に２５〜５０ｍｍであるのが好ましい。なお、ファスニング片１３０の一部または全部が例えば略テーパ形状をなし、前後方向長さＹ１，Ｙ２や幅方向長さＸ１，Ｘ２が一定でない場合は、上記数値範囲は平均値にて定める。ファスニング片１３０の形状は、矩形形状などの左右対称形状でもよいが、幅広の取り付け部分と細長状の先端側部分からなる凸型形状であると、先端側部分の摘み部が摘みやすく、かつ左右の基部間の張力が広範囲に作用するため、好ましい。フック要素１３０Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック要素１３０Ａに代えて、ファスニング片１３０の係止部として粘着材層を設けることもできる。
おむつの装着に際しては、背側サイドフラップ部ＢＦを腹側サイドフラップ部ＦＦの外側に重ねた状態で、ファスニング片を腹側Ｆ外面の適所に係止する。ファスニング片１３０の係止箇所の位置及び寸法は任意に定めることができる。新生児〜１２ヶ月程度までの乳幼児用おむつにおいては、係止箇所は、前後方向２０〜８０ｍｍ、幅方向１５０〜３００ｍｍの矩形範囲とし、その上端縁と腹側上縁Ｆ１との高さ方向離間距離を０〜６０ｍｍ、特に２０〜５０ｍｍとし、かつ製品の幅方向中央とするのが好ましい。
腹側Ｆにおけるファスニング片１３０の係止箇所には、係止を容易にするためにターゲットテープ７４を設けるのが好ましい。ターゲットテープ７４は、係止部がフック要素１３０Ａの場合、フック要素の係合突起が絡まるようなループ糸が表面に多数設けられたものを用いることができ、また粘着材層の場合には粘着と剥離が容易であるような表面が平滑なフィルム状のものを用いることができる。
また、腹側Ｆにおけるファスニング片１３０の係止箇所が不織布からなる場合、例えば図示形態の外装シート１２が不織布からなる場合であって、ファスニング片１３０の係止部がフック要素１３０Ａの場合には、ターゲットテープ７４を省略し、フック要素１３０Ａを外装シート１２の不織布に絡ませて係止することもできる。
ファスニング片１３０は、背側エンドフラップ部ＢＥと吸収要素５０の境界線上にファスニング片１３０の取り付け部分が重なるように取り付けられていると、おむつ装着時に左右のファスニング片１３０の取り付け部分間に働く張力により、吸収要素５０の背側端部がしっかりと体に押し当てられるため好ましい。また、ファスニング片１３０の取り付け部分が、おむつの背側端部（後端部）と離れすぎていると、おむつ装着時に左右のファスニング片１３０の取り付け部分間に働く張力がおむつの背側端部にまで及ばないため、おむつの背側端部と身体表面との間に隙間が生じやすい。従って、背側エンドフラップＢＥの前後方向長さは、ファスニング片１３０の基部の前後方向長さと同じか又は短いことが好ましい。
【００３８】
（エンドフラップ部）
エンドフラップ部は、吸収性本体部１０の前側及び後側にそれぞれ延出する部分であって、且つ吸収体５６を有しない部分であり、前側の延出部分が腹側エンドフラップ部ＦＥであり、後側の延出部分が背側エンドフラップ部ＢＥである。
背側エンドフラップＢＥの前後方向長さ（吸収体５６の背側端縁とおむつの背側端縁との上下方向離間距離）は、前述の理由によりファスニング片１３０の取り付け部分の前後方向長さと同じか短い寸法とすることが好ましく、また、おむつ背側端部と吸収体５６とが近接しすぎると、吸収体５６の厚みとコシによりおむつ背側端部と身体表面との間に隙間が生じやすいため、１０ｍｍ以上とすることが好ましい。
腹側エンドフラップ部ＦＥ及び背側エンドフラップ部ＢＥの前後方向長さは、それぞれおむつ全体の前後方向長さＬの２〜１５％、特に５〜１０％程度とするのが好ましく、本発明を適用するのが特に好ましい、水様便、軟便を頻繁に排泄する新生児〜１２ヶ月程度までの乳幼児用おむつにおいては、１０〜４０ｍｍ、特に１０〜３０ｍｍとするのが適当である。
【００３９】
（背側伸縮シート）
図示形態では、両ファスニング片１３０間に、幅方向に弾性伸縮する帯状の背側伸縮シート７０が設けられ、おむつ背側部におけるフィット性を向上させている。背側伸縮シート７０の両端部は両ファスニング片１３０の取り付け部分と重なる部位まで延在されているのが好ましいが、幅方向中央側に離間していても良い。背側伸縮シート７０の前後方向寸法は、ファスニング片１３０の取り付け部分の前後方向寸法と概ね同じにするのが適当であるが、±２０％程度の寸法差はあってもよい。背側伸縮シート７０は、ゴムシート等のシート状弾性部材を用いても良いが、通気性の観点から、図３に示すように、二枚の不織布７１をホットメルト接着剤等の接着剤により張り合わせるとともに、両不織布７１間に有孔のシート状、網状、細長状（糸状又は紐状等）等の弾性伸縮部材７２を幅方向に沿って伸張した状態で固定したものが好適に用いられる。この場合における不織布７１としては、外装シート１２と同様のものを用いることができる。弾性伸縮部材７２の伸張率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
また、図示のように弾性伸縮部材７２の一部または全部が吸収体５６を横断するように配置すると、吸収体５６のフィット性が向上するため好ましい。
なお、弾性伸縮部材７２は、シートの長手方向（おむつの幅方向）に不織布７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
背側伸縮シート７０は、図示形態では、液不透過性シート１１の幅方向両側ではバリヤーシート６２と外装シート１２との間に挟まれ、且つ液不透過性シート１１と重なる部位では、液不透過性シート１１と吸収体５６との間に挟まれるように設けられているが、トップシート３０と吸収体５６との間や液不透過性シート１１と外装シート１２との間に設けても良い。また、外装シート１２を複数枚の不織布を重ねて形成する場合には、背側伸縮シート７０全体を、外装シート１２の不織布間に設けても良い。
【００４０】
＜本発明の特徴部分について＞
特徴的には、吸収体５６における背側端縁５６ｅから股間側に離間した位置に、幅方向に沿う線状の吸収体薄肉部分又は吸収体不連続部分２０（以下、薄肉部分等ともいう）が、吸収体５６の幅方向一端から他端まで連続的に形成されている。このような薄肉部分等２０を有すると、吸収体５６がこの部分２０を折り目として折れ曲がり易くなり、おむつにおいてこの部分２０よりも股間側に加わる力が背側端縁側に全く伝わらないか又は伝わり難くなる。その結果、装着時の締め付けが不十分であったり、締め付けが緩んだりしたときであっても、おむつの背側端部に腰から離れる方向の力が全く作用しないか又は弱くなり、おむつ内面と腰との間に隙間が発生し難くなる。さらに、吸収体５６の薄肉部分等２０は、吸収体５６の股間側から背側端縁側に流れる尿や軟便を止める障壁として、またこれらが吸収されるまでに一時的に貯留する保持空間としても機能する。よって、効果的に背漏れが防止される。
【００４１】
吸収体５６の薄肉部分２０は、吸収体５６の構成素材をヒートエンボス加工等の圧縮加工を用いて圧密化することにより形成できるほか、吸収体５６を繊維の積繊により形成する場合には積繊量を部分的に少なくすることにより形成することができ、これらを組み合わせることも可能である。薄肉部分２０の厚み２０ｔは他の部分の厚み５６ｔの５０％以下、特に３０％以下、更に１０％以下とするのが好ましい。吸収体薄肉部分２０の厚みが厚すぎると、当該部分において曲がり難くなり、力の遮断効果が乏しくなる。この場合の比較に用いる厚みの数値は、ＫＥＳ（Kawabata's Evaluation System for Fabrics）に基づく圧縮特性分析における、絶対厚みＴｍの数値である。Ｔｍ値の測定は、ＫＥＳ−ＦＢ３−ＡＵＴＯ−Ａ 自動化圧縮試験機を用い、圧縮面積２ｃｍ2の円形平面をもつ鋼板間で、０ｇｆ／ｃｍ2から最大圧縮荷重５０ｇｆ／ｃｍ2まで試料を圧縮し、元に戻す間で行う。このときの圧力５０ｇｆ／ｃｍ2における試料の厚みがＴｍ値である。一方、吸収体５６の不連続部分２０は、吸収体５６の構成素材の切断により形成する他、吸収体５６を繊維の積繊により形成する場合には積繊量を部分的にゼロにする、あるいは不連続部分２０の股間側及び背側端縁側を別々に形成し並設するといった方法も採用することができる。
【００４２】
薄肉部分等２０の幅２０ｙ（薄肉部分２０の上下方向長さ。不連続部分２０の場合は離間距離）は適宜定めることができるが１〜３０ｍｍ程度、特に５〜１５ｍｍ程度が好ましい。薄肉部分等２０の幅２０ｙが狭すぎると、当該部分において曲がり難くなり、力の遮断効果が乏しくなる。薄肉部分等２０の幅２０ｙが広すぎると、その凹凸が装着者に違和感を与えるようになる。
薄肉部分等２０は、吸収体５６の幅方向に連続的に設ける他、適宜の間隔を空けて間欠的に、つまり点線状に設けることもできる。この場合、吸収体５６の幅５６Ｗに占める薄肉部分等２０の総長さの割合は６０〜９０％程度とするのが適当である。
薄肉部分等２０の平面形状は適宜定めることができ、図１に示すように、一定の線幅２０ｙ（上下方向長さ）でおむつの幅方向に沿って延在するだけでも良いが、図６に示すように、吸収体５６の幅方向両側部２３に幅方向中央側の部分２４よりも線幅の広い部分を有するのも好ましい形態である。この場合、薄肉部分等２０のおむつ幅方向両側部２３の剛性がより低くなり、力を伝達し難くなるため、おむつの背側端部の幅方向全体がバランス良く腰から離れ難くなる。また、吸収体５６が臀部から腰部にわたり幅方向における身体表面起伏に追従して変形し、フィットするようになる。薄肉部分等２０における両側部２３の線幅２３ｙは適宜定めることができるが、幅方向中央側の部分２４の線幅２４ｙの２〜５倍程度とするのが適当である。
【００４３】
この効果をより一層優れたものとするために、図７に示すように、薄肉部分等２０の股間側端縁２２を、幅方向両側に向かうにつれて股間側に位置するような曲線にするのも好ましい。この場合、特に吸収体５６が臀部の膨らみの上側に追従してスムーズに変形し、フィットするようになる。
薄肉部分等２０の数は適宜定めることができ、図１等に示すように一本であっても良いが、図８に示すように、複数本平行に設けるのも好ましい形態である。この場合、上述した力の伝達抑制効果がより一層向上するとともに、臀部から腰部にわたり上下方向における身体表面起伏の変化に対するフィット性が高まるようになる。薄肉部分等２０の上下方向間隔２０ｄは適宜定めることができるが、薄肉部分等２０の幅２０ｙの１〜５倍程度とするのが適当である。
薄肉部分等２０の位置はおむつの各部の寸法設計に応じて適宜定めることができる。水様便、軟便を頻繁に排泄する新生児〜１２ヶ月程度までの乳幼児用おむつにおいては、吸収体５６はおむつの前後方向中央から背側に１００〜２５０ｍｍ延在しているのが好ましく、また前述したとおり吸収体５６の背側端縁５６ｅとおむつの背側端縁との上下方向離間距離５６ｄは１０〜４０ｍｍ、特に１０〜３０ｍｍであるのが好ましく、この場合、薄肉部分等２０（薄肉部分等２０が複数ある場合には最上部のもの）の背側端縁２１と、吸収体５６における背側端縁５６ｅとの離間距離２０ｅは２０〜６０ｍｍであるのが好ましい。これら寸法及び位置により、薄肉部分等２０の位置が股間側に近くなりすぎると、上述した力の伝達抑制効果が乏しくなり、おむつの背側端縁に近くなりすぎると、本発明によって腰から離れ難くなる部分の上下方向幅が狭くなることにより、当該部分と腰との間に隙間が発生し易くなる。
【００４４】
特に本実施形態のように、横漏れ（脚周りとおむつとの隙間からの漏れ）を防止するために側部バリヤーカフス６０が設けられている場合、吸収体薄肉部分等２０が、前後方向において側部バリヤーカフス６０の後端部の固定部６５と同じか又はそれよりも股間側に位置していると、側部バリヤーカフス６０に設けられた弾性伸縮部材６３の収縮力により、おむつにおける薄肉部分等２０よりも背側端縁側の部分が弾力的に腰に押し付けられるようになる。よって、本発明の背漏れ防止効果がより一層のものとなる。ここで、側部バリヤーカフス６０の後端部の固定部６５は、おむつの後端縁から２０〜８０ｍｍ、特に２０〜５５ｍｍの範囲で延在するのが好ましい。
より具体的には、水様便、軟便を頻繁に排泄する新生児〜１２ヶ月程度までの乳幼児用おむつにおいては、吸収体薄肉部分等２０の背側端縁が、前後方向において側部バリヤーカフス６０の後端部の固定部６５から股間側に３０ｍｍ離間した位置までの範囲２０Ｒ内に位置しているのが好ましい。また、側部バリヤーカフス６０の弾性伸縮部材６３は、１５０〜２５０％の伸張状態で、側部バリヤーカフス６０の前端部の固定部６５又はその近傍から、後端部の固定部６５又はその近傍まで連続的に固定されて設けられているのが好ましい。
ただし、弾性伸縮部材６３の、後端部におけるバリヤーシート６２への固定長さは、長すぎないことが好ましい。長すぎると吸収体５６が弾性伸縮部材６３の収縮力により引っ張られ、薄肉部分等２０により形成される空間が小さくなる。従って、背側端部における、弾性伸縮部材６３のバリヤーシート６２に対する非固定部分は、背側端縁から薄肉部分等２０まで延在するのが好ましく、薄肉部分等２０から股間側にさらに延在するのが特に好ましい。ただし、弾性伸縮部材６３の、背側非固定部分の薄肉部分等２０から股間側への延在距離は、薄肉部分等２０の上下方向長さ２０ｙよりも長くならないことが好ましい。弾性伸縮部材６３の背側非固定部分の長さが長すぎると、フィット性が低下する。
【００４５】
別の形態として、弾性伸縮部材６３のバリヤーシート６２に対する固定部分を、その少なくとも一部が、側部バリヤーカフス６０の前端部の固定部６５及び後端部の固定部６５に重複するよう連続的に設け、薄肉部分等２０から後端部の固定部６５にかけての範囲を含む部分では、弾性伸縮部材６３をバリヤーシート６２に固定する伸張率を、それ以外の部分の伸張率よりも低くなるようにすれば、背側端部における弾性伸縮部材６３のバリヤーシート６２に対する非固定部分の長さを短くせずとも、側部バリヤーカフス６０の薄肉部分等２０による空間形成とフィット性向上のバランスを取ることができる。具体的には、薄肉部分等２０から後端部の固定部６５にかけての範囲を含む部分では伸張率が５０〜１５０％で、それを以外の部分では伸張率が１５０〜２５０％になっているのが好ましい。さらに、弾性伸縮部材６３がバリヤーシート６２に固定される張力を段階的に異ならせるようにするのがより好ましい。具体的には、弾性伸縮部材６３のバリヤーシート６２に対する固定部分を複数等分し、最も腹側端部に近い部分で伸張率３００％以下、最も背側端部に近い部分で伸張率１００％以上とし、薄肉部分等２０から後端部の固定部６５にかけての範囲を含む部分では伸張率を５０％以上１５０％以下とし、隣接する部分間の伸張率の差が５０％を超えない範囲で腹側から背側にかけて段階的に伸張率を低下させればよい。
【００４６】
また、背側伸縮シート７０を設け、かつ弾性伸縮部材７２の一部または全部が吸収体５６を横断するように配置される場合、従来は吸収体５６の背側部分が幅方向に縮まないよう、弾性伸縮部材７２が吸収体５６と重なる部分の一部又は全部を、切断等の手段により収縮力が働かないようにすることがあったが、本発明のように吸収体薄肉部分等２０が設けられていると、背側伸縮シート７０が吸収体に及ぼす力（変形）が、薄肉部分等２０により遮断されるため、吸収体５６が広範囲にわたって縮むことがない。従って吸収体５６を横断する弾性伸縮部材７２を切断しなくても良い。むしろ、吸収体５６の背側端縁側部分が背側伸縮シート７０によって着用者の背部に押し付けられ、隙間なくフィットするとともに、薄肉部分等２０が撓んで軟便を保持するための空間が大きく形成されるため、好ましい。このように形成する場合、背側伸縮シート７０は吸収体５６の背側端縁側部分と重なるように配置されるのが好ましい。具体的には、吸収体５６の背側端縁側部分の５０％以上、特に８０％以上が、背側伸縮シート７０と重なるようになっていると好ましい。一方、薄肉部分等２０が背側伸縮シート７０と重なる範囲は５０％以下、特に２０％以下であると好ましい。
また同様に、吸収体５６の背側端縁側部分の５０％以上、特に８０％が、左右のファスニング片１３０の取り付け部分間に位置するように配置されていると、取り付け部分間に働く張力により、吸収体５６の背側端縁側部分がしっかりと体に押し当てられるため好ましい。
【００４７】
他方、本発明においては、薄肉部分等２０においては、おむつの曲げ剛性が１〜２０ｃＮ／５０ｍｍ、好ましくは１〜１０ｃＮ／５０ｍｍであるのが好ましい。また、薄肉部分等２０以外の吸収体５６が存在する部位においては、おむつの曲げ剛性が１５〜５０ｃＮ／５０ｍｍ、好ましくは２０〜３５ｃＮ／５０ｍｍであるのが好ましい。吸収体５６の剛性が低すぎると、吸収体５６のヨレや割れが発生し易くなり、剛性が高すぎると、本発明の薄肉部分等２０を形成したとしても、力の伝達を遮断し難くなる。さらに、薄肉部分等２０の曲げ剛性は、吸収体５６の曲げ剛性の５０％以下であるのが好ましく、３０％以下であるのが特に好ましく、１０％以下であるのが更に好ましい。
曲げ剛性（剛度）は、ＪＩＳ Ｋ ７１７１（プラスチック−曲げ剛性の試験方法）に準拠し、次の方法で測定する。測定にはテンシロン試験機（圧子先端部の曲率半径Ｒ１＝５．０±０．１ｍｍ、支持プレート先端部の曲率半径Ｒ２＝５．０±０．２ｍｍ）を用い、吸収体５６が存在する部分のおむつの前後方向の曲げ剛性を測定する。試験片は、おむつから測定に影響する弾性伸縮部材を取り除き、これをおむつ長手方向８０ｍｍ、おむつ幅方向５０ｍｍの長方形に切り取ることにより作製する。曲げ剛性値の単位中の５０ｍｍは試験片の短辺の長さであり、試験時の圧子でたわませた試験片の幅である。それぞれ断面円弧状の先端部を有し、両先端部の先端（上端）間の間隔を５０ｍｍとして、互いに平行に且つ両先端部の高さ位置を揃えて配置された一対の支持プレート上に、上記の試験片を、その長手方向を各プレートに直交する方向に向けて、掛け渡すように載置し、その試験片に僅かに接するように圧子先端部を配置する。ロードセル５ｋｇ（レンジ１９６ｃＮ）、速度３０ｍｍ／ｍｉｎの条件で圧子を降下させ、荷重−たわみ曲線を得る。得られた曲げ応力の最大値を曲げ剛性値（ｃＮ／５０ｍｍ）とする。
【産業上の利用可能性】
【００４８】
本発明は、止着式使い捨ておむつに利用できるものである。
【図面の簡単な説明】
【００４９】
【図１】止着式使い捨ておむつの展開状態平面図である。
【図２】図１の２−２線断面図である。
【図３】図１の３−３線断面図である。
【図４】図１の４−４線断面図である。
【図５】他の例における、図１の４−４線断面図である。
【図６】他の止着式使い捨ておむつの展開状態平面図である。
【図７】他の止着式使い捨ておむつの展開状態平面図である。
【図８】他の止着式使い捨ておむつの展開状態平面図である。
【符号の説明】
【００５０】
１０…吸収性本体部、１１…液不透過性シート、１２…外装シート、２０…薄肉部分等、３０…トップシート、４０…中間シート、５０…吸収要素、５２…繊維、５４…高吸収性ポリマー粒子、５６…吸収体、５８…包装シート、６０…側部バリヤーカフス、６２…バリヤーシート、７０…背側伸縮シート。